(57)【要約】【課題】  ユーザが携帯電話機の機種交換や携帯電話機の買い替えを行った場合でも、新たに入手した携帯電話機に対してユーザ設定のための入力作業をすることなく、ＵＩＭカードを従来使用していた携帯電話機から新たに入手した携帯電話機に移し換えるだけで手間をかけることなく簡単に新しい携帯電話機に対してユーザ設定ができるようにしたＵＩＭカードを提供する。【解決手段】  使用者の操作により設定環境の選択を行なうユーザ設定機能を有する携帯電話機に装着して使用するＵＩＭカードであって、前記携帯電話機にＵＩＭカードが装着されている場合に、前記使用者が前記携帯電話機を操作することで選択された設定環境を特定するユーザ設定情報を、前記携帯電話機から受信して記憶させるためのユーザ設定情報ファイルを有するメモリが備えられている。【選択図】        図２
2007201775.tif 000002
【特許請求の範囲】
【請求項１】
使用者の操作により設定環境の選択を行なうユーザ設定機能を有する携帯電話機に装着して使用するＵＩＭ（User Identity Module）カードであって、
前記携帯電話機にＵＩＭカードが装着されている場合に、前記使用者が前記携帯電話機を操作することで選択された設定環境を特定するユーザ設定情報を、前記携帯電話機から受信して記憶させるためのユーザ設定情報ファイルを有するメモリが備えられていることを特徴とするＵＩＭカード。
【発明の詳細な説明】
【技術分野】
【０００１】
本発明は、使用者の操作により設定環境の選択を行なうユーザ設定機能を有する携帯電話機に装着して使用するＵＩＭ（User Identity Module）カードに関する。
【背景技術】
【０００２】
従来、特に広帯域符号多重分割接続方式を採用する携帯電話機では、ＩＣカードであるＵＩＭカードを携帯電話機に装着することで、ＵＩＭカードに予め記憶されているユーザＩＤを使用して通話が行えるように構成されている。（例えば、特許文献１参照）
【０００３】
これらのＵＩＭカード装着可能な携帯電話機では、使用者がＵＩＭカードのメモリに対して、頻繁に使用する相手先の電話番号やメールアドレスなどのユーザデータを自由に格納できるようにしてあるので、ユーザが機種交換や携帯電話機の買い替えを行った場合でも、従来使用していた携帯電話機から新しく入手した携帯電話機に対して、ＵＩＭカードを入れ替えるだけで、簡単に電話番号やメールアドレスなどのデータの移し替えを行うことができる。
したがって、機種交換や携帯電話機の買い替えの際に、改めて面倒な電話番号やメールアドレスの入力作業を行う必要がなく、簡単に従来使用していたデータを新しく入手した携帯電話機においても利用できるようになっている。
【０００４】
【特許文献１】特開２００３−３０９６４０号公報
【０００５】
しかしながら、ＵＩＭカード装着可能な携帯電話機であっても、ユーザ側で携帯電話機に対して設定したユーザ設定情報については、ＵＩＭカードに記憶されない。
このために、ユーザが機種交換や携帯電話機の買い替えを行った場合に、新しく入手した携帯電話機に対して、その都度、改めてユーザ設定の選択や入力の作業を行う必要がある。
これらのユーザ設定を行える機能としては、例えば、マナーモード、目覚し時計、メールフィルタ（迷惑メール、フォルダ振り分け）、ウェブ接続情報（クッキー、お気に入りＵＲＬ）、ウィルス検査、ゲームデータ、着信/発信履歴、振動のＯＮ，ＯＦＦ情報などがある。
【０００６】
年々、携帯電話機が多機能化することで、ユーザ設定を行える機能の種類も増えているために、ユーザが機種交換や携帯電話機の買い替えを行った場合、これらのユーザ設定を新しく入手した携帯電話機に設定し直すのは、ユーザ側にとって面倒であり大きな負担でもあるという問題がある。
【発明の開示】
【発明が解決しようとする課題】
【０００７】
そこで、本発明は、ユーザが携帯電話機の機種交換や携帯電話機の買い替えを行った場合でも、新たに入手した携帯電話機に対してユーザ設定のための入力作業をすることなく、ＵＩＭカードを従来使用していた携帯電話機から新たに入手した携帯電話機に移し換えるだけで手間をかけることなく簡単に新しい携帯電話機に対してユーザ設定ができるようにしたＵＩＭカードを提供する。
【課題を解決するための手段】
【０００８】
本発明のＵＩＭカードは、使用者の操作により設定環境の選択を行なうユーザ設定機能を有する携帯電話機に装着して使用するＵＩＭ（User Identity Module）カードであって、前記携帯電話機にＵＩＭカードが装着されている場合に、前記使用者が前記携帯電話機を操作することで選択された設定環境を特定するユーザ設定情報を、前記携帯電話機から受信して記憶させるためのユーザ設定情報ファイルを有するメモリが備えられていることを特徴とする。
【発明の効果】
【０００９】
本発明のＵＩＭカードは、ユーザ設定情報ファイルを有するメモリが備えられているので、ユーザが携帯電話機に設定したユーザ設定情報をＵＩＭカード側で保存することができ、新たに入手した携帯電話機にＵＩＭカードを移し換えるだけで、手間をかけることなく簡単にユーザ設定情報を新たに入手した携帯電話機側へ書き込み自動的にユーザ設定を行えるという効果がある。
【発明を実施するための最良の形態】
【００１０】
以下、本発明の実施形態に係るＵＩＭカードについて、図面に基づいて詳細に説明する。
図１は、本発明の実施形態に係るＵＩＭカードと、携帯電話機との関係を説明する図、図２は、本発明の実施形態に係るＵＩＭカードと、ＵＩＭカードが装着された携帯電話機との関係を説明するシステムブロック図、図３は、本発明の実施形態に係るＵＩＭカードを、従来使用していた携帯電話機から新たに使用する携帯電話機に入れ替えている状態を示す図、図４は、本発明の実施形態に係るＵＩＭカードを、従来使用していた携帯電話機から新たに使用する携帯電話機に入れ替えた場合の処理手順を示すフローチャート図である。
【００１１】
図１に示すように、本発明の実施形態に係るＵＩＭカード１は、大きさが１５×２５ｍｍ、厚さ０．８ｍｍ程度の小型ＩＣカードで、携帯電話機２の側面に設けられた挿入口（図示せず）から挿入されて所定の位置にあるＵＩＭカード装着部（図示せず）に固定される。
また、携帯電話機によっては、裏側の蓋を開いてバッテリーの内側、又は、外側の所定の凹部にＵＩＭカード１を固定し、裏側の蓋を閉じて使用する構造になっている。
携帯電話機２は、ＵＩＭカード装着部にＵＩＭカード１が装着されることで、ＵＩＭカード１に記憶されているデータが自動的に読み取られ、携帯電話機２内のメモリに格納される。
ＵＩＭカード１に記憶されているデータは、携帯電話機２に自動的に読み取られ、ユーザ認証を受けることでその携帯電話機２を使用した通話が行えるにように制御されており、仮に第三者に携帯電話機２が盗まれてもＵＩＭカード１が装着され、ユーザ認証が受けられなければ携帯電話機２の使用ができないようになっている。
【００１２】
ＵＩＭカード１は、塩化ビニール重合体、塩化ビニール、酢酸ビニール共重合体、ポリエチレンテレフタレート、ポリプロピレン、アクリル等の単体、または、複合体の基体１ａにＩＣモジュール１ｂを実装したものである。
ＩＣモジュール１ｂの接触交信用接続端子は、独立した６〜１０に区画された金属など、導電性のプレートで構成され、装着された携帯電話機２の接点と接触してＩＣモジュール１ｂ内のＩＣチップと携帯電話機２相互の回路が電気的に導通するようにＵＩＭカード１の表面に露出した状態で形成されている。
【００１３】
図２には、携帯電話機２にＵＩＭカード１が装着された状態において、ＵＩＭカード１と携帯電話機２のシステム構成が示されている。
ＵＩＭカード１には、ＣＰＵ３、ＲＯＭ４、ＲＡＭ５、不揮発性メモリ６、暗号演算エンジン７、Ｉ/Ｆ（インターフェース）８が備えられている。
ＲＯＭ４には、起動プログラム、カードＯＳ、カードアプリケーション、その他のデータを制御するプログラムなどが搭載されている。
ＲＡＭ５には、受信データを含む受信情報を一時的に保管し操作する。
また、不揮発性メモリ６は、アプリケーションプログラムの起動プログラム及び、相互認証用鍵（ＰＩＮ）、電話番号やメールアドレスなどのユーザパーソナライズデータ、その他のデータを保管すると共に、ユーザ設定情報ファイル９が設けられており、ＵＩＭカード１が装着された携帯電話機２でユーザが選択し入力した種々のユーザ設定情報を書き込んで記憶できるようになっている。
【００１４】
暗号演算エンジン７は、データ暗号化や復号化処理（ＲＳＡ、ＡＥＳ、ＤＥＳなど）を行う機能を有している。
Ｉ/Ｆ８は、ＵＩＭカード１が携帯電話機２に装着された際に、携帯電話機２に備えられているＩ/Ｆ（インターフェース）１０とデータの入出力を行えるように接続され、データの読み出しや書込みが行われる。
【００１５】
また、携帯電話機２には、Ｉ/Ｆ１０の他に、入力部であるマイク１１、ディスプレイである表示手段１２、ＲＯＭ、ＲＡＭ、データ及び情報格納部からなる記憶手段１３、アンテナなどの通信手段１４、ＣＰＵからなる制御手段１５、スピーカ１６、操作ボタンからなる操作手段１７、電源部１８などが備えられている。
制御手段１５は、携帯電話本来の制御プログラムが格納されているＲＯＭ１３ａ、受信したデータを含む情報を一時的に保管し操作するＲＡＭ１３ｂ、受信したデータ又は情報を保管するデータ及び情報格納部１３ｃなどの記憶手段１３に接続されている。
【００１６】
データ及び情報格納部１３ｃには、複数のアプリケーションを受信し処理するアプリケーションプログラムが記録、収納される。
このアプリケーションプログラムには、アプリケーション検索キーがタグ付けされており、ＵＩＭカード１から送信される起動プログラムの起動コマンドを受信して、アプリケーションキーを照合させ、前記アプリケーションプログラムを立ち上げる。
【００１７】
ＵＩＭカード１が装着されている状態の携帯電話機２は、マナーモード、目覚し時計、メールフィルタ（迷惑メール、フォルダ振り分け）、ウェブ接続情報（クッキー、お気に入りＵＲＬ）、ウィルス検査、ゲームデータ、着信/発信履歴などのユーザ設定に関して、ユーザが操作手段１７を操作することで設定するユーザ設定情報の全てがＵＩＭカード１に送られて、ＵＩＭカード１の不揮発性メモリ６にあるユーザ設定情報ファイル９に自動的に書き込まれて保存されるようにプログラムにより制御されている。
【００１８】
したがって、ユーザが、従来使用していた携帯電話機から別の新たに使用する携帯電話機に交換したい場合には、図３に示すように、従来使用していた携帯電話機２ａからユーザ設定情報が保存されているＵＩＭカード１を取り出し、新たに使用する携帯電話機２ｂにそのＵＩＭカード１を装着させるだけで、ユーザ設定情報の移し替えを行うことができる。
この場合に、新たに使用する携帯電話機２ｂにＵＩＭカード１を装着させると、プログラムにより、ＵＩＭカード１の不揮発性メモリ６にあるユーザ設定情報ファイル９に保存されているユーザ設定情報が、自動的に携帯電話機２ｂ側に送られ、記憶手段１３のデータ及び情報格納部１３ｃに書き込まれて登録される。
【００１９】
本発明の実施形態に係るＵＩＭカードに関して、従来使用していた携帯電話機に装着されている状態から、新たに使用する携帯電話機に入れ替えた場合の処理手順としては次のようになる。
図４のフローチャートに示すように、まず、従来使用していた携帯電話機２ａにおいてマナーモード、目覚し時計、メールフィルタ（迷惑メール、フォルダ振り分け）、ウェブ接続情報（クッキー、お気に入りＵＲＬ）、ウィルス検査、ゲームデータ、着信/発信履歴などのユーザ設定に関して、ユーザが操作手段１７を操作してユーザ設定を行う。（ステップＳ１）
【００２０】
ユーザ設定のユーザ設定情報が、携帯電話機２ａの記憶手段１３のデータ及び情報格納部１３ｃに登録される。（ステップＳ２）
更に、ユーザ設定情報が、携帯電話機２ａからＵＩＭカード１に送られて、ＵＩＭカード１の不揮発性メモリ６にあるユーザ設定情報ファイル９に書き込まれて保存されている。（ステップＳ３）
従来使用していた携帯電話機２ａからユーザ設定情報が保存されているＵＩＭカード１を取り出し、新たに使用する携帯電話機２ｂにそのＵＩＭカード１を装着させる。（ステップＳ４）
【００２１】
ＵＩＭカード１の不揮発性メモリ６にあるユーザ設定情報ファイル９に保存されているユーザ設定情報が、携帯電話機２ｂの記憶手段１３のデータ及び情報格納部１３ｃに書き込まれて設定登録される。（ステップＳ５）
尚、ＵＩＭカード１からの情報読み出し手段としては、プロアクティブコマンドとして知られている。
以上の処理により、ＵＩＭカード１を新たに使用する携帯電話機２ｂに移し替えて装着させるだけで、携帯電話機２ｂを従来使用していた携帯電話機２ａと同じユーザ設定で利用することができるようにしてある。
また、携帯電話機の機種やメーカーごとに設定情報が異なるので、振動のＯＮ，ＯＦＦ情報などのシンプルな設定だけをＵＩＭカードに設定するようにしてもよい。
【図面の簡単な説明】
【００２２】
【図１】本発明の実施形態に係るＵＩＭカードと、携帯電話機との関係を説明する図である。
【図２】本発明の実施形態に係るＵＩＭカードと、ＵＩＭカードが装着された携帯電話機との関係を説明するシステムブロック図である。
【図３】本発明の実施形態に係るＵＩＭカードを、従来使用していた携帯電話機から新たに使用する携帯電話機に入れ替えている状態を示す図である。
【図４】本発明の実施形態に係るＵＩＭカードを、従来使用していた携帯電話機から新たに使用する携帯電話機に入れ替えた場合の処理手順を示すフローチャート図である。
【符号の説明】
【００２３】
１  ＵＩＭカード
２，２ａ，２ｂ  携帯電話機
３  ＣＰＵ
４  ＲＯＭ
５  ＲＡＭ
６  不揮発性メモリ
７  暗号演算エンジン
８，１０  Ｉ/Ｆ（インターフェース）
９  ユーザ設定情報ファイル
１１  マイク
１２  表示手段
１３  記憶手段
１３ａ  ＲＯＭ
１３ｂ  ＲＡＭ
１３ｃ  データ及び情報格納部
１４  通信手段
１５  制御手段
１６  スピーカ
１７  操作手段
１８  電源部
【図１】
2007201775.tif 000003
【図２】
2007201775.tif 000004
【図３】
2007201775.tif 000005
【図４】
2007201775.tif 000006